(57)【特許請求の範囲】
【請求項１】
光源からの光を参照光と測定光とに分岐し、分岐した測定光を眼底に照射し、反射した測定光と参照光とを合波して得られる干渉光から被検眼の眼底の断層画像を取得する眼底断層画像取得手段を有する眼科装置において、
眼底の深さ方向に延びる２次元断層像（Ｂスキャン像）を取得するための測定光の走査制御を少なくとも２つの異なる速度で実施可能な走査制御手段を備え、
前記Ｂスキャン像は、前記深さ方向とは垂直な方向に、前記深さ方向に延びる１次元断層像（Ａスキャン像）が並ぶ像であり、
前記少なくとも２つの異なる走査速度の内遅い走査速度で取得されたＢスキャン像は、前記少なくとも２つの異なる走査速度の内速い走査速度で取得されたＢスキャン像よりも、Ｂスキャン像当たりのＡスキャン像の数が多く、
前記走査制御手段は、第１の領域に対し、前記速い走査速度で前記測定光の走査制御を実施した後、前記第１の領域よりも狭い第２の領域に対し、前記遅い走査速度で前記測定光の走査制御を実施する眼科装置。
【請求項２】
前記走査制御手段は、前記速い走査速度で前記測定光の走査制御を実施して得られた前記第１の領域のＢスキャン像に基づき、前記第２の領域を決定する請求項１記載の眼科装置。
【請求項３】
被検眼の眼底を照明し、眼底からの反射光または散乱光を２次元画像素子で受光して被検眼の眼底の正面画像を取得する眼底正面画像取得手段と、
取得した被検眼の眼底の正面画像から任意のＢスキャン像を取得する位置を指定するＢスキャン指定手段とを備える、請求項１又は２に記載の眼科装置。
【請求項４】
前記走査制御手段において制御される前記少なくとも２つの異なる走査速度の内少なくとも２つの走査速度は１０倍以上異なる、請求項１〜３のいずれか１項に記載の眼科装置。
【請求項５】
前記少なくとも２つの異なる走査速度の内遅い走査速度で取得したＢスキャン像に対して、隣り合うＡスキャン像間で位相差を取得する第１の位相差取得手段を備えた請求項１〜４のいずれか１項に記載の眼科装置。
【請求項６】
前記少なくとも２つの異なる走査速度の内速い走査速度で取得したＢスキャン像に対して、連続して取得した隣り合うＢスキャン像の同位置間の位相差を取得する第２の位相差取得手段を備えた請求項５に記載の眼科装置。
【請求項７】
前記Ｂスキャン指定手段は、同じ血管を含む少なくとも２つの異なる位置を指定する、請求項３に記載の眼科装置。
【請求項８】
前記走査制御手段の走査方向は対象とする血管に対して略垂直に交わる方向である請求項１から７のいずれか１項に記載の眼科装置。
【請求項９】
光源からの光を参照光と測定光とに分岐し、分岐した測定光を眼底に照射し、反射した測定光と参照光とを合波して得られる干渉光から被検眼の眼底の断層画像を取得する眼底断層画像取得手段を有する眼科装置において、
眼底の深さ方向に延びる２次元断層像（Ｂスキャン像）を取得するための測定光の走査制御を少なくとも２つの異なる速度で実施可能な走査制御手段と、
前記少なくとも２つの異なる走査速度の内遅い走査速度で取得したＢスキャン像に対して、隣り合うＡスキャン像間（略同位置）で位相差を取得する第１の位相差取得手段と、
前記少なくとも２つの異なる走査速度の内速い走査速度で取得したＢスキャン像に対して、連続して取得した隣り合うＢスキャン像の同位置間の位相差を取得する第２の位相差取得手段と、
を備えた眼科装置。
【発明の詳細な説明】
【技術分野】
【０００１】
本発明は、光コヒーレンストモグラフィー（ＯＣＴ）を用いて、断層像を取得する、主に眼科で使用する眼科装置及びその制御方法に関する。
【背景技術】
【０００２】
光コヒーレンストモグラフィー（ＯＣＴ）は、非侵襲、非接触で測定できることから、眼科における生体組織の高解像度な断層画像を取得する手段として広く使用されている方法である。ＯＣＴでは、１次元の深さ方向（眼球においては、眼軸方向）の画像をＡスキャン像、２次元画像をＢスキャン像、３次元画像をＣスキャン像と通常呼ぶため、以下では、１次元画像をＡスキャン（画）像、２次元画像をＢスキャン（画）像、３次元画像をＣスキャン（画）像とも記述する。
【０００３】
光コヒーレンストモグラフィー（ＯＣＴ）においては、タイムドメイン方式と呼ばれる、ミラーを動かして参照光の光路長を機械的に変化させながら断層画像取得を行うタイムドメインＯＣＴと、フーリエドメイン方式と呼ばれる、分光器を用いてスペクトル情報を検出し断層画像取得を行うスペクトルドメインＯＣＴ、もしくは、波長走査光源を用いてスペクトル干渉信号を検出し断層画像取得を行う光周波数掃引ＯＣＴとがある。
【０００４】
フーリエドメイン方式のＯＣＴでは、取得するスペクトル干渉信号のフーリエ変換によって得られる位相の時間変化量がドップラー信号として、被検物の移動速度に対応することを利用して、例えば、血流などの速度を求める手段として用いられる。ドップラー信号を取得するフーリエドメイン方式のＯＣＴをドップラーＯＣＴとも言うため、以下ではドップラーＯＣＴと記述する。
【０００５】
ドップラーＯＣＴは、例えば被検物の所定の部位にある血管における血流速度を計測するために、所定時間Δｔで２回以上、所定の部位のＯＣＴ画像を取得し、取得した２枚以上のＯＣＴ画像の連続した隣り合う２枚のＯＣＴ画像から所定時間Δｔにおける位相差Δφを取得して、血流速度を算出する方法が取られてきた。
【０００６】
ところが、従来のこの方法では、血流速度を測定するためには、上述のように同じ所定の部位を複数回ＯＣＴ撮影してＯＣＴ画像を取得する必要があることから、測定時間が長くなるという問題があった。
【０００７】
特許文献１には、被検眼の眼底に照射する測定光を互いに独立した２つのビームに分けて、同じ眼底位置に対してΔｔだけずらして走査（Ｂスキャン）して取得した２つの断層像（Ｂスキャン像）に対して、任意の同じ位置の画素データからΔｔにおける位相の変化Δφを求めて、血流速度を求める方法が開示されている。
【先行技術文献】
【特許文献】
【０００８】
【特許文献１】特開２０１３−７６０１号公報
【発明の開示】
【発明が解決しようとする課題】
【０００９】
独立した２つのビームを用いた特許文献１に記載の方法は、従来実施されていた同じ位置を複数回走査する方法に比べ、測定時間を短縮可能である。しかしながら、独立した２つのビームを生成し、同じ位置を走査させる方法は構成や制御方法が複雑になり、実施が難しいこと、さらに２つのビームで取得した断層画像が深さ方向に重ならないようにするため２つのビームにおいて一定の光路長差が必要になるため、眼底の深い位置における血流速度を求めることができないという問題がある。
【００１０】
本発明は、上記の課題を解決するためになされたものであって、新たな構成を必要とせず、かつ、簡易な方法で目的とする血管の位置及び血流速度を速やかに、かつ、精度良く取得可能な眼科装置を提供することを目的とする。
【課題を解決するための手段】
【００１１】
上記目的を達成するために、本発明の一側面に係る眼科装置は光源からの光を参照光と測定光に分岐し、分岐した測定光を眼底に照射し、反射した測定光と参照光を合波して得られる干渉光から被検眼の眼底の断層画像を取得する眼底断層画像取得手段とを有する眼科装置において、眼底の深さ方向に延びる２次元断層像（Ｂスキャン像）を取得するための測定光の走査制御を少なくとも２つの異なる速度で実施可能な走査制御手段を備えたことを特徴とする。
【００１２】
眼底中の目的とする血管の血流の状態を定量的に計測するドップラーＯＣＴの場合、目的とする血管を含む同一位置のＢスキャン像を繰り返し取得し、連続して取得した隣り合ったＢスキャン像の同じ位置における画素データの位相差から血管の位置を検出し、検出した血管の位置を中心とする狭領域を低速の走査速度で走査することにより、Ｂスキャン像を構成するＡスキャン像間距離を小さくすることにより、隣り合うＡスキャン像間の位相差から目的とする血管の検出した位置における（垂直）血流速を求めることが可能である。このような走査制御手段を採用することにより、新たな構成を必要とせず、かつ、簡易な方法で目的とする血管の位置及び（垂直）血流速が取得できる。
【００１３】
本発明の別側面に係る眼科装置は、被検眼の眼底を照明し、眼底からの反射光または散乱光を２次元画像素子で受光して被検眼の眼底の正面画像を取得する眼底正面画像取得手段と、取得した被検眼の眼底の正面画像から任意のＢスキャン像を取得する位置を指定するＢスキャン指定手段と、を更に備えることを特徴とする。
【００１４】
ＯＣＴのＣスキャン像から眼底の正面画像を取得することも可能ではあるが、眼底カメラやＳＬＯのような眼底正面画像取得手段を備えることで、リアルタイムで眼底の正面画像が取得でき、取得した眼底正面画像をモニタなどに表示して、目的とする血管を含む位置を指定する手段を備えることにより、容易に目的とする血管の血流速などが計測できる。さらに、リアルタイムで眼底の正面画像が取得でることから、ＯＣＴを撮影する際のトラッキング制御に採用することも可能である。
【００１５】
本発明の別側面に係る眼科装置は更に、走査制御手段において制御される少なくとも２つの異なる走査速度の内少なくとも２つの走査速度は１０倍以上異なることを特徴とする。
【００１６】
例えば、異なる走査速度を３００Ａスキャン／Ｂスキャン（高速走査）と８，０００Ａスキャン／Ｂスキャン（低速走査）とすることにより、全体の測定時間の長時間化を回避しつつ、目的の血管の血流速を精度よく計測できる。
【００１７】
本発明の別側面に係る眼科装置は、少なくとも２つの異なる走査速度の内遅い走査速度で取得したＢスキャン像に対して、隣り合うＡスキャン像間（略同位置）で位相差を取得する第１の位相差取得手段を更に備えたことを特徴とする。
【００１８】
隣り合うＡスキャン像間の距離を略同一位置になる程度に走査速度を遅くすることにより、隣り合うＡスキャン像間の位相差から目的とする血管の検出した位置における（垂直）血流速を求めることが可能である。
【００１９】
本発明の別側面に係る眼科装置は、少なくとも２つの異なる走査速度の内速い走査速度で取得したＢスキャン像に対して、連続して取得した隣り合うＢスキャン像の同位置間の位相差を取得する第２の位相差取得手段を更に備えたことを特徴とする。
【００２０】
比較的に速い速度で走査することにより、短時間でＢスキャン像が取得でき、隣り合うＢスキャン像の同位置間の位相差から目的とする血管の位置が容易に、かつ、迅速に検出できる。
【００２１】
本発明の別側面に係る眼科装置は更に、Ｂスキャン指定手段が、同じ血管を含む少なくとも２つの異なる位置を指定することを特徴とする。
【００２２】
目的とする血管を含む少なくとも２箇所の異なった位置を指定し、各々の位置で、目的とする血管の位置（ｘ０，ｚ０）、（ｘ１，ｚ１）と２つの位置の距離Δdから目的とする血管の勾配を求め、求めた勾配と各々の位置における（垂直）血流速から絶対血流量を算出できる。
【００２３】
本発明の別側面に係る眼科装置は更に、走査制御手段の走査方向が対象とする血管に対して略垂直に交わる方向であることを特徴とする。
【００２４】
走査方向は目的とする血管に対して略垂直に交わるように走査して、Ｂスキャン像を取得することがより、精度の高い絶対血流量が算出できる。
【発明の効果】
【００２５】
上述のように、本発明によれば、上述のような走査制御手段を採用することにより、新たな構成を必要とせず、かつ、簡易な方法で目的とする血管の絶対血流量が取得できるのである。
【図面の簡単な説明】
【００２６】
【図１】本発明に係る眼科装置の一実施例の光学系の構成を示した図である。
【図２】本発明に係る眼科装置の一実施例の装置全体の構成を示した図である。
【図３】本発明に係る眼科装置の一実施例の操作手順（フローチャート）を示した図である。
【図４】ＯＣＴによる３次元断層像の取得までのフローを説明する図である。
【図５】本実施例に係る眼科装置のモニタに表示されたＯＣＴによる眼底の（ａ）Ｂスキャン像とエンファス像（３次元のＯＣＴデータから作成）の一例を示した図である。
【図６】本実施例に係る眼科装置のモニタに表示されたＳＬＯによる眼底の正面画像の一例を示した図である。
【発明を実施するための形態】
【実施例】
【００２７】
以下、本発明の一実施例に係る眼科装置について図面を参照して説明する。
[一実施形態]
図１には本発明に係る眼科装置１の光学系の詳細を説明した図である。そして、図２には本発明に係る眼科装置１の一実施例の装置全体の構成を示した図である。
【００２８】
眼科装置１には次の２つの光学系を備えている。被検眼Ｅの眼底の断層画像を干渉光の技術を用いて非侵襲で取得するための干渉光学系（以下、ＯＣＴ光学系）１００と、赤外光源２０１を用いて被検眼Ｅの眼底を照射し観察するための眼底ＳＬＯ画像を取得するスキャニングレーザーオフサルモスコープ（ＳＬＯ）光学系（以下、ＳＬＯ光学系）２００である。
【００２９】
各光学系についてその構成を以下に説明する。
（ＯＣＴ光学系１００）
ＯＣＴ光学系１００は光源１０１から干渉光をＡ／Ｄ変換するＡＤＣ１１６までで構成される。本実施例ではフーリエドメイン型のＯＣＴの１つである、光源１０１に波長掃引型光源を用いたＳＳ−ＯＣＴを採用している。ＳＳ−ＯＣＴはその測定原理から他のＯＣＴの方法と比較して高速に干渉信号（断層画像データ）を取得できる点で優位とされている。ＯＣＴ光学系１００は本実施例のＳＳ−ＯＣＴに限定されるものではなく、他のフーリエドメイン型のＯＣＴであるスペクトルドメインＯＣＴ（ＳＤ−ＯＣＴ）であってもよい。
【００３０】
光源１０１から出力された光はファイバーを通ってファイバーカプラ１０２により、コリメータレンズ１０３に入力する測定光とコリメータレンズ１１０に入力する参照光に分岐される。コリメータレンズ１０３に入力した測定光はフォーカスレンズ１０４、ガルバノミラー１０５、レンズ１０６、ダイクロイックミラー１０７及び対物レンズ１０９を通って被検眼Ｅの眼底部に照射される。そして、被検眼Ｅの眼底部から反射された測定光は、照射時とは逆に対物レンズ１０９、ダイクロイックミラー１０７、レンズ１０６、ガルバノミラー１０５、フォーカスレンズ１０４、コリメータレンズ１０３、ファイバーカプラ１０２を通り、ファイバーカプラ１１４の一方の入力部に入力する。
【００３１】
ファイバーカプラ１０２に分岐され、コリメータレンズ１１０に入力した参照光はプリズム１１２で反射されてコリメータレンズ１１１を通って、ファイバーカプラ１１４の他の一方の入力部に入力する。
【００３２】
ファイバーカプラ１１４に入力した測定光と参照光はファイバーカプラ１１４内で合波され干渉光としてバランス検出器１１５に入力して電気信号（干渉信号）に変換される。尚、ファイバーカプラ１１４から出力された２つの干渉光は互いに位相が１８０°異なる干渉光であり、この２つの干渉光がバランス検出器１１５に入力し差動増幅される。ここで、コモンノイズなどのノイズ成分の影響が低い場合は簡易な１入力の検出器などを採用してもよい。
【００３３】
バランス検出器１１５から出力された干渉信号はＡＤＣ１１６でデジタル信号としてサンプリングされ、ＣＰＵやメモリなどからなる演算部５００に入力し、フーリエ変換されて深さ方向の断層信号であるＡスキャンデータを取得し演算部５００内のメモリに記憶される。
【００３４】
プリズム１１２は制御部１１３により光軸上に移動し、参照光路長を変更調整可能に制御される。通常、ＯＣＴ撮影の前に参照光路長と測定光路長が同じ光路長になるように制御部１１３により移動し、測定中は固定される。
【００３５】
ガルバノミラー１０５は被検眼Ｅに対して水平（Ｘ軸方向）垂直（Ｙ軸方向）にスキャンするものであり、制御信号は演算部５００から入力される。ガルバノミラー１０５をＸ軸方向、Ｙ軸方向にスキャンすることにより被検眼Ｅの眼底部の３次元の断層画像が取得できるのである。
【００３６】
本実施例では、ダイクロイックミラー１０７は例えば９００ｎｍ以上の長波長の光（ＯＣＴ光源１０１からの光）は通過し、９００ｎｍより短い短波長の光（例えば８４０ｎｍ、ＳＬＯの光源からの光）は反射するように設定されている。ダイクロイックミラー１０７は上述の仕様に限定されるものではなく、使用する光源の波長で適宜設定すればいい。
【００３７】
上述のようにダイクロイックミラー１０７を用いて被検眼Ｅに照射され反射された２つの波長の異なる光（ＯＣＴ光、ＳＬＯ光）が適切に分割され、各々の測定を可能にしている。
【００３８】
図４は、ＯＣＴ光学系１００による断層像（Ｂスキャン像）を取得する様子を示したものである。図４（ａ）は被検眼Ｅの眼底網膜の一例を、図４（ｂ）は断層像取得部１００から取得して得られた眼底網膜４０１の複数の２次元断層像（Ｂスキャン像）の例を示している。そして、図４（ｃ）は本実施例にて生成された眼底部の３次元断層像の例を示している。尚、図４（ａ）〜（ｃ）のｘ軸はＢスキャンのスキャン方向を、ｙ軸はＣスキャンの方向を示す。更に、図４（ｂ）、（ｃ）のｚ軸はＡスキャン信号の奥行き方向、つまり眼底部の深さ方向を示す。実際に撮影しモニタに表示されたＯＣＴ画像を図５に示す。
【００３９】
（ＳＬＯ光学系２００）
ＳＬＯ光学系２００は、光源２０１からＡ／ＤコンバータであるＡＤＣ２１０までで構成される。通常、ＳＬＯ光源は８００〜９００ｎｍの赤外のレーザーダイオードを用いて眼底画像を非侵襲で取得する。尚、本実施例では８４０ｎｍのレーザーダイオードをＳＬＯ光源として採用している。ＳＬＯ光源についても、本実施例のレーザーダイオードに限定されるものではなく、他の光源、例えばＬＥＤであってもよい。
【００４０】
ＳＬＯ用の光源２０１から出力された測定光（他の測定光を区別するため、以下、ＳＬＯ測定光とする）はミラー２０４で反射される。ここで、眼底に照射する光と眼底から反射された反射光が同じ経路を辿る。そこで、照射光と反射光を分割するため、ミラー２０４は、所定の割合で反射と透過するハーフミラー又はビームスプリッタなどが採用される。光学系内の意図しない散乱や反射により生じるノイズ光が低減するため、ミラー２０４に偏光ビームスプリッタを採用してもよい。
【００４１】
よって、ＳＬＯ測定光の一部がミラー２０４により反射されてフォーカスレンズ２０３に入力し、その後スキャン装置２０８、レンズ２０２を通り、ダイクロイックミラー１０７に入力する。入力したＳＬＯ測定光はダイクロイックミラー１０７で反射し、対物レンズ１０９を通って被検眼の眼底に照射される。フォーカスレンズ２０３は眼底に照射されたＳＬＯ測定光が眼底上でフォーカスするよう光軸上で移動制御される。
【００４２】
眼底で反射されたＳＬＯ測定光は逆の経路で、対物レンズ１０９、ダイクロイックミラー１０７、レンズ２０２、スキャン装置２０８、フォーカスレンズ２０３を通ってミラー２０４に入力し、その一部がミラー２０４を透過してレンズ２０５に入力して集光後ピンホール２０６を通って光検出器２０７で受光し、電気信号に変換後ＡＤＣ２１０に入力する。
【００４３】
ここで、スキャン装置２０８は、上述のＯＣＴ光学系１００の中のガルバノミラー１０５と同様に、ＳＬＯ測定光を被検眼の眼底に対してＸ軸方向、Ｙ軸方向にスキャンするものであり、スキャン装置２０８により、ＳＬＯ測定光の照射位置を走査して眼底の正面画像データを取得できるようになっている。スキャン装置２０８は、ガルバノミラーに限定されるものではなく、ポリゴンミラーを用いてもよいし、ガルバノミラーとポリゴンミラーを複合した構成としてもよい。また、光検出器２０７は、例えば、アバランシェフォトダイオードや光電子増倍管などが採用される。
【００４４】
上述のように、眼底部をＸＹスキャンしてその反射光をＡＤＣ２１０でサンプリングし、演算部５００で信号処理することにより、被検眼Ｅの眼底の正面画像が取得できるのである。実際に撮影しモニタに表示されたＳＬＯ画像を図６に示す。
【００４５】
（操作手順）
次に、本実施例に係る眼科装置の操作手順について説明する。
【００４６】
図３は、本実施例における操作手順を説明したフローチャートである。
まず、Ｓ１０で上記２つの光学系が配置されたヘッド（ヘッド部とも言う）を被検眼の目に合わせる（以下、アライメントという）。アライメントは本体に備えた（図示しない）ジョイスティックなどを用いて実施される。本実施例では、アライメントを容易にするため、（図示しない）固視光学系を用いて固視灯を被検眼に対して照射し、これにより、被検眼を固視してアライメント（ヘッドを目に合わせる）を実施している。固視光学系は、一般的な眼科装置に備わっている固視光学系が採用可能である。
【００４７】
次に、Ｓ１２でＳＬＯ光学系のフォーカス調整を行う。フォーカスレンズ２０３を光軸上で移動制御して光源２０１から照射されるＳＬＯ光が被検眼の眼底（網膜）上で焦点が合う（フォーカスする）ようにする。そして、この時得られた制御信号の値から被検眼の眼屈折力も算出され、本体内の記憶部に記憶される。
【００４８】
次に、Ｓ１４で（図示しない）固視光学系を用いて被検眼を固視させる。固視させる方法は上述のように一般の眼科装置で採用される方法を用いてもよいし、より効果の高い固視光学系を配置して、実施してもよい。
【００４９】
Ｓ１６でＳＬＯ撮影を実施して眼底部の正面画像を取得する。
【００５０】
Ｓ１６で眼底部の正面画像を取得したら、（図示しない）モニタに眼底部の正面画像を表示する。表示方法は、リアルタイムに表示してもよいし、検者の操作により、画像を切り替えて表示する方法であってもよい。そして、Ｓ１８で、モニタに表示した眼底部の正面画像を見て、ＯＣＴ撮影の撮影位置（眼底部の位置）２箇所以上決定する。決定は、検者がモニタを見て決定してもよいし、予め撮影位置が定まっていれば（例えば予め設定した特定の血管を含む複数の位置など）、ＳＬＯによる眼底部の正面画像を演算部５００で解析して撮影位置を自動的に検出してＯＣＴ撮影の撮影位置を決定してもよい。ＯＣＴ撮影の撮影位置の一実施例を図６に示す。
【００５１】
ＯＣＴ撮影の撮影位置が決定したら、Ｓ２０でＯＣＴのフォーカス調整を行う。フォーカス調整はフォーカスレンズ１０４を光軸上で移動させて撮影対象位置である眼底（網膜）にＯＣＴの光が焦点を結ぶようにフォーカスレンズ１０４を位置制御して実施する。
【００５２】
ＯＣＴのフォーカス調整が終了したら、Ｓ２２でＯＣＴのゼロ点調整を行う。ゼロ点調整とは、ＯＣＴ光学系の中の（被検眼を照射して反射光を得る）測定光学系の光路長（測定光路長という）と上述の参照光学系の光路長（参照光路長という）が一致するように、参照光学系内のプリズム１１２を光軸上で移動制御して実施される。本実施例ではプリズム１１２を採用しているが、プリズムに限定されるものではなく、ミラーなどを採用してもよい。
【００５３】
Ｓ２２でＯＣＴのゼロ点調整が終了したら、Ｓ２４で「ｍ＝０」とする。本実施例の場合、２箇所以上の眼底位置でＢスキャン像を取得するため、最初の眼底位置の場合を０番目の位置としてカウントする。
【００５４】
Ｓ２６でＯＣＴのＢスキャンのレートを３００Ａスキャン／Ｂスキャンになるように演算部５００によりＯＣＴ制御を実施する。Ｂスキャンのレートはこれに限定するものではなく、測定全体の時間を考慮して、適宜設定すればよい。本実施例の場合、血管の位置を検出することを目的としているため、精度の高い画像を必要としないことや全体の測定時間を抑える上で、比較的速いスキャンレート（１回のＢスキャンで取得するＡスキャン像が少ない、つまり、比較的粗い画像を取得するレート）である３００Ａスキャン／ＢスキャンのＢスキャンレートを採用している。
【００５５】
Ｓ２８で「ｎ＝０」とする。本実施例の場合、複数枚の同じ眼底位置でＢスキャン像を取得するため、最初のＢスキャン像を０番目のＢスキャン像としてカウントする。
【００５６】
そして、Ｓ３０でＯＣＴの撮影を開始する。本実施例のようなフーリエドメイン型のＯＣＴであるＳＳ−ＯＣＴの場合、深さ方向（Ｚ方向）のスキャンは必要ないため、ガルバノミラー１０５により、Ｘ方向又はＹ方向に一度スキャンすることにより、スキャンした範囲の複数のＡスキャン像（１次元断層像ともいう）が取得できるため、本実施例の場合、以下、ＯＣＴ撮影とはＢスキャン撮影と同意として扱う。そして、ＯＣＴ撮影して得られた画像をＢスキャン像又はＢスキャン画像という。Ｂスキャン画像は、本実施例では眼底部の深さ方向の２次元断層（画）像である。そして、予め設定した枚数（つまり予め設定した枚数ｎ（final））を取得するまで、以下で説明するＳ３０〜Ｓ４０の操作を繰り返す。
【００５７】
ＳＬＯ撮影（Ｓ１６）はＯＣＴ撮影（Ｂスキャン撮影と同意）と並列して実施される。そして、ＳＬＯ撮影（Ｓ１６）で取得したＳＬＯ画像から、眼底部の移動検出（Ｓ３２）を行い、Ｓ３４で眼底部の移動量を算出して、算出した眼底部の移動量に基づいてＳ３６でＯＣＴスキャンの位置を補正（変更）して、次のＯＣＴ画像を撮影する（Ｓ３８、ｎ＝ｎ＋１）。
【００５８】
Ｓ３６のＳＬＯ画像を用いたＯＣＴスキャンの位置補正（アイトラッキングと呼ぶこともある）は必ずしも必要ではない。本実施例の場合、被検物が人の目であるため、固視されていても、固視微動などが常に生じ、取得したＯＣＴ画像にモーションアーチファクトが入りやすいため、本実施例では上述のようなアイトラッキングを実施しているのであって、被検物が生体ではないような場合で、モーションアーチファクトを考慮しなくてもいい場合は、上記のようなアイトラッキングは必要ないため、Ｓ３２〜Ｓ３６の工程は削除できる。
【００５９】
もし、撮影した枚数が所定の数になったら（Ｓ４０、ｎ＞ｎ（final））、Ｓ４２に進む。撮影した枚数が所定の数より少ない場合はＳ３０に戻ってＯＣＴ撮影を続ける。
【００６０】
Ｓ４２では、現在のＯＣＴのスキャンレートを確認する。もし、ＯＣＴのスキャンレートが３００Ａスキャン／Ｂスキャンの場合は、Ｓ４４に進む。
【００６１】
（血管の位置座標の取得）
３００Ａスキャン／Ｂスキャンで同じ眼底位置のＢスキャン像を所定枚数取得したら、Ｓ４４で、連続して隣り合う２つのＢスキャン像間で位相差（ΔφＢ（ｎ）（ｘ，ｚ））を算出する。（ｎは取得したＢスキャン像の番号を示す。）
【００６２】
Ｓ４４で算出された複数の位相差（ΔφＢ（ｎ）（ｘ，ｚ））をＳ４６で平均化処理を実施して、その結果から血管の位置座標（ｄ（ｍ）（ｘ，ｚ））を算出する。（ｍは眼底の測定位置の番号を示す。）
【００６３】
血管の位置座標（ｄ（ｍ）（ｘ，ｚ））を算出したら、その位置座標を記憶部に記憶し、Ｓ４８で、ＯＣＴのスキャンレートを８，０００Ａスキャン／Ｂスキャンになるように演算部５００によりＯＣＴ制御を実施する。Ｂスキャンのレートはこれに限定するものではなく、測定全体の時間を考慮して、適宜設定すればよいが、隣り合うＡスキャン像の位置が略同一な位置になる程度にＯＣＴのスキャンレートを設定するのが望ましい。
【００６４】
さらに、Ｓ５０では、ＯＣＴのスキャン領域を設定する。Ｓ４６で求めた座標位置にある血管の血流速度を求めることが目的であるため、血管の位置を中心とした領域であり、ＯＣＴのスキャンレートが３００Ａスキャン／Ｂスキャンの場合に比べて狭い領域を設定するのが望ましい。８，０００Ａスキャン／ＢスキャンのＯＣＴのスキャンレートは非常に遅いスキャンレートであるため、スキャンする領域が大きい程、測定に時間が掛かってしまうからである。領域幅を血流速度が算出可能な程度に適切に設定することにより、精度の高い血流速度が算出でき、かつ、測定全体の時間も短縮できるのである。
【００６５】
Ｓ４８で、ＯＣＴのスキャンレートを変更し、Ｓ５０でスキャン領域幅を設定したらＳ２８に戻り、８，０００Ａスキャン／ＢスキャンのスキャンレートでＳ３０〜Ｓ４０のＯＣＴ撮影を実施する。所定枚数撮影したら（ｎ＞ｎ（final））、Ｓ４２に進む。
【００６６】
今回の場合は、スキャンレートが８，０００Ａスキャン／Ｂスキャンであるため、Ｓ５２に進み、８，０００Ａスキャン／Ｂスキャンで撮影されたＢスキャン画像から血流速度を算出する。
【００６７】
まず、Ｓ５２で撮影された１つのＢスキャン像に対して隣り合う２つのＡスキャン像間の位相差（ΔφＡ（ｎ）（ｚ））を算出する。（（ｎは取得したＢスキャン像の番号を示す。）
【００６８】
次に、Ｓ５４で各々のＢスキャン像で算出された複数の位相差（ΔφＡ（ｎ）（ｚ））の値に対して平均化処理などを実施して、ｍ番目の眼底位置における（垂直）血流速度（Ｖ（ｍ）（ｚ））を算出する。（ｍは眼底の測定位置の番号を示す。）
【００６９】
Ｓ５６で、次の測定位置でＯＣＴ撮影を行う（ｍ＝ｍ＋１）。Ｓ５８で所定の数の測定位置でＯＣＴ撮影をしていない場合は、測定位置を変更してＳ２６に戻り、次の測定位置でＯＣＴ撮影を続ける。所定の数の眼底位置でＯＣＴ撮影が終了したら（ｍ＞ｍ（final））、ＯＣＴ撮影は終了し、眼底の各測定位置で得られた血管の位置情報から血管の勾配を算出し、算出した勾配と各（垂直）血流速度から対象とする血管の絶対血流量が算出できるのである。尚、位相差情報から血流速度などを算出する算出方法は、特許文献１などで既に公知の種々の方法を採用できるため、ここでは、その詳細は省略する。
【００７０】
以上、本発明の実施形態について詳述してきたが、これらはあくまでも例示であって、本発明はかかる実施形態における具体的な記載によって、何等、限定的に解釈されるものでなく、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることが、理解されるべきである。
【００７１】
例えば、上記実施例では、眼底正面画像取得のためＳＬＯを採用したが、ＳＬＯに限定されるものでななく、眼底カメラを採用してもよい。さらに言えば、ＯＣＴのＣスキャン画像から作成したエンファス像（図５（ｂ））を用いて、血流量を求める位置を指定するようにすれば、ＳＬＯや眼底カメラのような眼底正面画像取得手段は、必ずしも必要ではない。このような場合、アイトラッキングを、例えば、別途、前眼部撮影光学系を配置し、取得した前眼部画像を用いて実施することも可能である。この前眼部撮影光学系は、眼底正面画像撮影光学系共に配置し、アイトラッキングを両方の撮影画像を用いて実施することも可能である。
【００７２】
また、上記実施例では、血管の血流量を測定するドップラーＯＣＴを例にして本発明の特徴を説明したが、本発明に係る方法はドップラーＯＣＴに限定されるものではなく、通常のＯＣＴにおいても利用可能である。例えば、眼底に病変がある場合、その病変の箇所を高精度にＯＣＴ撮影したい場合は、本発明に係る方法を採用することにより、時間をかけることなく測定され、診断に有効な情報を提供できる。つまり、上述した実施例において、３００Ａスキャン／Ｂスキャンのスキャンレートにより病変位置を検出し、８，０００Ａスキャン／Ｂスキャンのスキャンレートで病変周囲に限定して撮像することにより病変に関する高精度な断層画像を短時間で取得できるのである。
【符号の説明】
【００７３】
１…本実施例の眼科装置、１００…ＯＣＴ光学系、１０１…光源、１０２…ファイバーカプラ、１０５…ガルバノミラー、１０７…ダイクロイックミラー、１１２…プリズム、２００…ＳＬＯ光学系、２０１…ＳＬＯ光源、２０４…ビームスプリッタ、２０８…ＳＬＯスキャン装置、３００…前眼部撮影光学系、３０３…ＣＣＤカメラ、５００…演算部、Ｅ…被検眼
【図１】
0006606640.tif 000002
【図２】
0006606640.tif 000003
【図３】
0006606640.tif 000004
【図４】
0006606640.tif 000005
【図５】
0006606640.tif 000006
【図６】
0006606640.tif 000007